(57)【要約】      （修正有）【課題】直径や長さが任意の１以上の円筒と空気入りチューブを併用し、１以上の円筒の中に空気入りチューブを挿通して使用可能とすることで、あんま効果や指圧効果による刺激を加える部位や数を自由に選択したり変更可能とし、しかも水上でも利用可能な多用途型の健康器具を提供する。【解決手段】所定の直径を有し長さが任意の１以上の円筒の中に、空気入りチューブを挿通して使用する装置であって、前記空気入りのチューブの外径が前記円筒の内部に挿通できるサイズか、又は多少大きいことを特徴とする円筒挿通式空気入りチューブであり、主として腰当てとして使用できる。【選択図】図２
0003122971.tif 000002
【実用新案登録請求の範囲】
【請求項１】
所定の直径を有し長さが任意の１以上の円筒の中に、空気入りチューブを挿通して使用する装置であって、
前記空気入りのチューブの外径が前記円筒の内部に挿通できるサイズか、又は多少大きいことを特徴とする円筒挿通式空気入りチューブ。
【請求項２】
前記円筒を２以上用いる場合は、それぞれの円筒の間隔を開けることを特徴とする請求項１に記載の円筒挿通式空気入りチューブ。
【請求項３】
前記円筒が、硬度が任意の合成樹脂製であること、又は外周に所定間隔の隆起部を有することを特徴とする請求項１または請求項２に記載の円筒挿通式空気入りチューブ。
【請求項４】
前記の空気入りのチューブを複数互いに平行に連結して水上で使用可能な構造とすることを特徴とする請求項１、請求項２または請求項３に記載の円筒挿通式空気入りチューブ。
【請求項５】
前記円筒の内面と空気入りチューブの外面との間に連結用の部材を挿通することによって、隣接するチューブ同士を連結することを特徴とする請求項４に記載の円筒挿通式空気入りチューブ。
【考案の詳細な説明】
【技術分野】
【０００１】
本考案は、１以上の円筒の中に空気入りの円筒状チューブを挿通して、健康増進に使用するチューブ装置に関する。
【背景技術】
【０００２】
実用新案登録第２５０５５２７号において、直径約３０ｃｍ、長さ７０〜８０ｃｍ以上のロールの表面が弾性材で覆われている背当具を基板の上に載置し、その上に背中の一部の小面積のみを支持する使い方が提案されている。
【特許文献１】実用新案登録第２５０５５２７
【考案の開示】
【考案が解決しようとする課題】
【０００３】
しかしながら、このように外径や長さが一定で表面の性状も一定のロールでは、マッサージ効果やツボの刺激効果も一定かつ不十分となり、使い方も限定されてしまう。その結果、あんま効果や指圧効果のように局部的に刺激を加えたり、刺激を加える部位の変更や選択も不可能である。
【０００４】
本考案の技術的課題は、このような問題に着目し、直径や長さが任意の１以上の円筒と空気入りチューブを併用し、１以上の円筒の中に空気入りチューブを挿通して使用可能とすることで、あんま効果や指圧効果による刺激を加える部位や数を自由に選択したり変更可能とし、しかも水上でも利用可能な多用途型の健康器具を実現することにある。
【課題を解決するための手段】
【０００５】
本考案の技術的課題は次のような手段によって解決される。請求項１は、所定の直径を有し長さが任意の１以上の円筒の中に、空気入りチューブを挿通して使用する装置であって、前記空気入りのチューブの外径が前記円筒の内部に挿通できるサイズか、又は多少大きいことを特徴とする円筒挿通式空気入りチューブであり、主として腰当てとして使用できる。「多少大きい」とは、例えば２〜５ｍｍ以内程度で足りる。このように、前記空気入りのチューブの外径が前記円筒の内部に挿通できるサイズか、又は多少大きいため、円筒の中に空気入りチューブを挿通した状態において、円筒とチューブとの位置関係が安定となり、又は固定状態に維持できる。その結果、複数の円筒の中に空気入りチューブを挿通した場合は、各円筒の間隔を任意に設定できる。また、空気を抜いてチューブを収縮させると、各円筒から抜いて、各円筒の間隔を変更したり、交換することも可能である。したがって、円筒の数を増減したり、間隔を変更したりすることで、腰などに押し当てた際の指圧効果やあんま効果による刺激を加える位置を自由に選択・変更できる。円筒による刺激が強過ぎる場合は、円筒から抜いてチューブだけでも使用できる。なお、空気入りチューブを用いるため、水上で使用する健康器具としても兼用できる。
【０００６】
請求項２は、前記円筒を２以上用いる場合は、それぞれの円筒の間隔を開けることを特徴とする請求項１に記載の円筒挿通式空気入りチューブである。このように、前記円筒を２以上用いる場合は、それぞれの円筒の間隔を開けることによって、単一の装置でありながら、人体に当たる円筒の位置を複数かつ自由に設定したり変更できるので、刺激を加える部位を多様に設定・変更可能となる。
【０００７】
請求項３は、前記の円筒が、硬度が任意の合成樹脂製であること、又は外周に所定間隔の隆起部を有することを特徴とする請求項１または請求項２に記載の円筒挿通式空気入りチューブである。このように、前記の円筒を、硬度が任意の合成樹脂で構成することによって、円筒を容易にかつ安価に実現でき、かつ人体に適度の硬度を選定できる。また、円筒の外周に所定間隔の隆起部を設けることによって、あんま効果や指圧効果を容易に得ることができる。なお、隆起部を設けない場合でも、特に幅の狭い円筒の場合はあんま効果や指圧効果と同様な刺激を得ることができる。
【０００８】
請求項４は、前記の空気入りのチューブを複数互いに平行に連結して水上で使用可能な構造とすることを特徴とする請求項１、請求項２または請求項３に記載の円筒挿通式空気入りチューブである。このように、前記の空気入りのチューブを複数互いに平行に連結して水上に浮かべると、浮輪やいかだの代わりに利用できる。あるいは、空気入りチューブの上に跨がることで、カヌーの代用も可能であり、種々の用途が可能となる。
【０００９】
請求項５は、前記円筒の内面と空気入りのチューブの外面との間に連結用の部材を挿通することによって、隣接するチューブ同士を連結することを特徴とする請求項４に記載の円筒挿通式空気入りチューブである。このように、前記円筒の内面と空気入りのチューブの外面との間にベルトや紐などのような連結用の部材を挿通することによって、隣接するチューブ同士を容易にかつ確実に連結することができ、水上で使用する際に便利であり、しかも連結が容易に外れるような危険がない。
【考案の効果】
【００１０】
請求項１のように、前記空気入りのチューブの外径が前記円筒の内部に挿通できるサイズか、又は多少大きいため、円筒の中に空気入りチューブを挿通した状態において、円筒とチューブとの位置関係が安定となり、又は固定状態に維持できる。その結果、複数の円筒の中に空気入りチューブを挿通した場合は、各円筒の間隔を任意に設定できる。また、空気を抜いてチューブを収縮させると、各円筒から抜いて、各円筒の間隔を変更したり、交換することも可能である。したがって、円筒の数を増減したり、間隔を変更したりすることで、指圧効果やあんま効果による刺激を加える位置を自由に選択・変更できる。なお、空気入りチューブを用いるため、水上で使用する健康器具としても兼用できる。
【００１１】
請求項２のように、前記円筒を２以上用いる場合は、それぞれの円筒の間隔を開けることによって、単一の装置でありながら、人体に当たる円筒の位置を複数かつ自由に設定したり変更できるので、刺激を加える部位を多様に設定・変更可能となる。
【００１２】
請求項３のように、前記の円筒を、硬度が任意の合成樹脂で構成することによって、円筒を容易にかつ安価に実現でき、かつ人体に適度の硬度を選定できる。また、円筒の外周に所定間隔の隆起部を設けることによって、あんま効果や指圧効果を容易に得ることができる。
【００１３】
請求項４のように、前記の空気入りのチューブを複数互いに平行に連結して水上に浮かべると、浮輪やいかだの代わりに利用できる。あるいは、空気入りチューブの上に跨がることで、カヌーの代用も可能であり、種々の用途が可能となる。
【００１４】
請求項５のように、前記円筒の内面と空気入りのチューブの外面との間にベルトや紐などのような連結用の部材を挿通することによって、隣接するチューブ同士を容易にかつ確実に連結することができ、水上で使用する際に便利であり、しかも連結が外れるような危険がない。
【考案を実施するための最良の形態】
【００１５】
次に本考案による円筒挿通式の空気入りチューブからなる健康器具が実際上どのように具体化されるか実施形態を説明する。図１は、本考案で使用する空気入りのチューブ１と各種円筒２〜７を例示する図である。（１）図が空気入りのチューブ１の側面図と正面図であって、円筒状をしている。すなわち、塩化ビニールなどのような軟質の合成樹脂製や合成ゴム、天然ゴム製のチューブであって、空気の出し入れ口８から空気を入れることによって充分に膨らませると、図示のような円筒状となる。Ｄは、充分に膨らませた状態における外径である。出し入れ口８から空気を抜くと、チューブ１を収縮させ、縮めることができる。空気を全部抜くと、折り畳むこともできる。
【００１６】
（２）図は、直径が一定で幅Ｗが異なる各種円筒２〜７の側面図と正面図で、ｄは、各円筒２〜７の内径である。各円筒２〜７の使用個数は任意であり、幅Ｗの小さな円筒２〜４を多数用意しておけば、図２、図４、図５のような種々の使い方ができる。
【００１７】
図２は、チューブ１と各種円筒の使い方を例示する側面図である。（１）は、図１の最も長い円筒７の中にチューブ１を挿通した使い方であり、長い円筒７の全長を利用した使い方ができる。円筒７の全長が例えば８０〜１００ｃｍ程度あれば、二人で共用することもできる。例えば、図４のように、チューブ入り円筒の上で仰向けになると、背中の屈曲運動などができる。
【００１８】
水上であれば、浮輪の代用もできる。浮輪の代用にする場合は、円筒７からチューブ１を抜いた状態で使用してもよいが、円筒７の中に挿通した方が、孔が開いたりしないように防護するのに都合よい。円筒７からチューブ１を出し入れする場合は、出し入れ口８から空気を抜くと、容易に可能である。なお、チューブ１よりも円筒７を短めにして、チューブ１の両端が円筒７の両端から多少はみ出す程度が、抜け防止の上で適している。もちろん、チューブ１のみ又は円筒７だけでも使用できる。
【００１９】
（２）図は、前記円筒７の半分程度の長さの円筒６を２個使用し、両者の中にチューブ１を挿通してある。この場合、２個の円筒６・６間にチューブ１が露出するようにして使用する。そして、中間に露出するチューブ１の部分の幅ωは、使用者の好みに応じて、自由に設定する。中間に露出するチューブ１の部分が背骨の部分に当たるようにして、仰向けになって使用すると、背骨以外の腰を左右の円筒６、６の上に押し当てて使用できる。別の使い方として、幅ωのチューブ１の部分を背骨以外に押し当て可能なことは言うまでもない。
【００２０】
（３）は、チューブ１の中間部に、幅Ｗの狭い円筒２を１個だけ設けた例である。この場合は、背骨の部分だけに円筒２を押し当てるような使い方ができる。あるいは、背骨以外の任意の部位に円筒２を押し当てるような使い方も可能である。（４）は、２個の円筒２、２を離して設けた使い方であり、２か所の部位を同時に押し当てて、使用できる。２個の円筒２、２の間隔は使用者の好みに応じて任意に設定できる。このように、幅Ｗの狭い円筒２の場合は、その全体で刺激を与えることができ、幅Ｗが大きい場合は、円筒端部でも大きな刺激が得られる。
【００２１】
（５）のように、円筒２を多数使用することもできる。この場合も、各円筒２…の間隔の設定は自由であり、多数の部位を同時に押し当てて、指圧効果やあんま効果を得ることができる。図示のように、半分は通常の円筒２を使用し、他の半分は隆起部９つきの円筒を使用すると、両側を選択的に使用できる。つまり、隆起部９のために、指圧効果やあんま効果がより向上する。
【００２２】
チューブ１だけでは、人体に対する刺激が弱すぎるのに対して、合成樹脂製その他の比較的硬質の各円筒２〜７の場合は、人体に対する刺激が強く、あんま効果や指圧効果がより向上する。しかし、ソフトなチューブ１を好む場合は、比較的硬質の円筒２〜７を併用しないで、空気入りのチューブ１だけを使用することも可能であり、内部の空気の作用で弾力性に富むため、強い刺激を好まない女性や子供用として適する。このとき、空気出し入れ口８が有るので、チューブ１中の空気圧も任意に設定できる。各円筒２〜７による刺激をソフトにしたい場合は、軟質の合成樹脂を用いるとか、厚紙のロール紙を用いるなどの対処が可能である。
【００２３】
図３は、円筒２〜７の断面形状の各種実施形態である。（１）は、図２（５）のＡ−Ａ方向の断面図で、隆起部９つきの円筒を示しており、円筒２〜７の外面に隆起部９を所定の間隔で設けてある。このように、各円筒の外周に隆起部９が有ると、人体に対するあんま効果や指圧効果が向上する。
【００２４】
（２）は、図２（５）のＢ−Ｂ方向の断面図で、幅Ｗの狭い円筒２、３の直径方向の断面形状を示している。このように、円筒２、３の直径方向の断面形状を凸円弧状に形成して、太鼓状１０にすると、中央部が盛り上がっているので、図１のような平坦な円筒よりも人体に対する刺激が強くなり、指圧効果やあんま効果がより向上する。以上のように、各円筒の幅方向の寸法を変えたり、断面形状を隆起部つきや太鼓状にするなど、各種の形態を選択し採用できる。
【００２５】
図３（３）は、図２（４）のチューブ１を短くして腰当て専用にした例で、チューブ１のサイズは、直径が例えば８ｃｍ、１０ｃｍ、１２ｃｍなどのように数種類用意しておくのがよい。また、長さは例えば２５〜３０ｃｍ程度の小型品が適している。図示例は、隆起部９つきの円筒２を２個用いているが、３個以上使用してもよい。また、太鼓状部１０つきの円筒を用いてもよい。
【００２６】
図４は、以上の円筒挿通式の空気入りチューブの使用方法を例示する側面図で、畳やマットあるいは床Ｌの上で、前記の円筒挿通式の空気入りチューブ１を置いて、（１）（２）のように、その上に人体を乗せ、必要に応じて前後にローリングさせて使用する。あるいは、（３）のように両足を斜めにして止めたり、（４）のように顔の上まで上げたり、上下運動を繰り返すなどの運動をすることによって、健康増進が可能となる。しかも、運動後には適度な疲労感を伴い、安眠促進効果も得られる。
【００２７】
このような使い方ができるため、これまでの腰痛治療腰当器具と違って、老若男女を問わず、現代社会人の仕事やスポーツ、老化などによる腰に起因する疲労、腰痛、背筋、腹筋などの衰えを感じている人々に不可欠な健康器具となる。しかも、これまでの腰痛治療器具等とは違って、構造がシンプルな上、素材が柔軟で弾力性に富む器具なため、腰の痛い人の治療用、痛くない人には予防用となり、だれでも気持ちよく疲労回復を図りながら、背筋や腹筋などを鍛え腰痛治療、回復や予防効果などが期待できる。枕のように使うと、後頭部や首筋の刺激にも兼用できる。
【００２８】
図５、図６は水上で使用する実施形態である。図５は、２本のチューブ１、１を互いに平行に連結してある。つまり、幅Ｗの狭い複数の円筒２…にチューブ１、１をそれぞれ挿通した状態において、円筒２、２中にベルト１１や紐などを挿通することによって、２本のチューブ１、１が所定の間隔で連結されている。ベルト１１や紐は、チューブ１の外面と円筒２の内面との間に挟まれるので、ベルト１１や紐の安定性が増し、容易に離脱するような恐れはない。したがって、水上で複数のチューブ１・１同士を連結する場合にも便利である。チューブ１中の空気を多少抜いてチューブ１を多少縮めた状態で、ベルト１１や紐の先端を円筒２内とチューブ１外面との間に挿通してから、先端同士を連結して、エンドレスの環状に形成するだけで足りるので、連結操作も至って簡単である。なお、先端同士の連結には、バックルなどのようなワンタッチ式に着脱できる構造が適している。
【００２９】
このように、２本のチューブ１・１間を複数のベルト１１や紐で連結しておき、チューブ１、１間の複数のベルト１１や紐の上で仰向けに或いはうつ伏せに寝たりすることによって、水上でも楽しむことができる。浮輪代わりに使用する場合は、多数のベルト１１や紐がついているので、捕まり易いというメリットと安全性に富む。チューブ１の本数を増やして、筏状にすることも可能である。水上で使用する場合は、チューブ１や円筒２〜７の外径や長さを大きくすることもできる。
【００３０】
図６のように、３本のチューブ１、１、１を互いに平行に連結してあると、中央のチューブ１の上に跨がることによって、カヌーの代用として使用できる。この場合は、各チューブ１、１、１の間隔は、足が入る程度の小さな間隔が適している。間隔が開かないように密接させることも可能である。あるいは、３本のチューブ上の各円筒２、２、２の上に、鎖線で示す板などの剛体１２を渡して×印部でボルトナットなどで固定しておくと、３本のチューブが一体的に浮上するので、より安定性が増す。左右両側のチューブ１・１は、安定性を向上させて、転倒を防止するためである。
【００３１】
以上のように、各円筒の中に空気入りのチューブ１を挿通して使用するため、前記空気入りのチューブ１の外径は、前記各円筒２〜７の内部に挿通できるサイズにする。ただし、ゆるすぎると離脱する恐れがあるので、挿通できる範囲でより大きいサイズが適している。或いは、各円筒の内径より多少大きいサイズにしておくのもよい。そして、空気を多少抜いて縮めた状態で各円筒に挿通した後、空気出し入れ口８から空気を入れて充分に膨らませると共に空気圧を上げるのが好ましい。図２〜図６で、各円筒以外の部分において、チューブ１が多少膨らんでいるのは、このように、円筒中に挿通した後に、空気を入れて充分に膨らませた状態を表現しているからである。
【産業上の利用可能性】
【００３２】
以上のように、本考案によると、幅寸法が任意の１以上の円筒と空気入りチューブを併用し、１以上の円筒の中に空気入りチューブを挿通し、その上に仰向けになって使用可能とすることで、あんま効果や指圧効果と同様な刺激を加える部位や数を自由に選択したり変更可能となり、しかも水上でも使用可能な多用途型の健康器具を実現することができる。
【図面の簡単な説明】
【００３３】
【図１】本考案で使用する空気入りのチューブと各種円筒を例示する図で、（１）は空気入りのチューブの側面図と正面図、（２）は幅が異なる各種円筒の側面図と正面図である。
【図２】チューブと各種円筒の使い方を例示する側面図である。
【図３】各種円筒の断面形状の各種実施形態と小型の腰当て専用装置の側面図である。
【図４】円筒挿通式空気入りチューブの使用方法を例示する側面図である。
【図５】２本のチューブを互いに平行に連結した状態である。
【図６】３本のチューブを互いに平行に連結した状態である。
【符号の説明】
【００３４】
１  空気入りのチューブ
２〜７  各種円筒
８  空気出し入れ口
９  隆起部
１０  太鼓状隆起部
Ｌ  床面
１１  ベルトや紐
１２  板などの剛体
【図１】
0003122971.tif 000003
【図２】
0003122971.tif 000004
【図３】
0003122971.tif 000005
【図４】
0003122971.tif 000006
【図５】
0003122971.tif 000007
【図６】
0003122971.tif 000008